(57)【要約】 【課題】ＡＣアダプタに汎用的に用いられるＩＥＣ６０３２０標準の３種類のＡＣプラグＣ１３型，Ｃ５型、Ｃ７型に共通して使用できるＡＣプラグの寸法ならびに形状にたいして応能力が広い押さえ具を備えたＡＣコード脱落防止具を低コストで実現して提供する。  【解決手段】市販の可撓性のある合成樹脂製の板材を抜き型等で低コストに成型した物に、市販品として入手可能なボールチェイン，ベルト送り金具，カシメを組み合わせて押さえ金具を実現し布帯を用いた固定具を組み合わせて低コストなＡＣコード脱落防止具を実現した。 【選択図】図１
0003164787.tif 000002
【実用新案登録請求の範囲】
【請求項１】
ＡＣインレットに刺し込まれたＡＣコードのプラグ部がＡＣインレットから容易に抜け落ちないようにするＡＣコード脱落防止具において、
向かい合わせた２枚の板状材と該板状材に設けられた２個所の通し孔を順に貫通した紐状材の板状材間にある２区間とで構成する寸法を可変可能な閉じた略四辺形によってＡＣコードのプラグ部を捕捉することを特徴とした押さえ具を備えたことを特徴としたＡＣコード脱落防止具。
【請求項２】
前記押さえ具の紐状材には一定間隔で直径の等しい多数の球形の節が設けられ、押さえ具の板状材に設けられた通し孔の夫々は、一端に球形の節が自由に通れる寸法の略円形孔を備え、他端に球形の節が通れない寸法の略円形孔を備え、これら２種類の略円形孔を結んだ略長方形孔により紐状材が前記閉じた形状の寸法を自在に変化でき、またその寸法を固定できる押さえ具を備えたことを特徴とした請求項１のＡＣコード脱落防止具。
【請求項３】
前記押さえ具の板状材の一部を略長方形または略長円形に延長した張り出し部をベルト送り金具に通して略環状に曲げ戻し、前記板状材と張り出し部先端付近とに設けたカシメ孔を重ねてカシメで固定してベルト送り金具を封止し、これに固定具を係止する押さえ具を備えたことを特徴とする請求項１並びに請求項２のＡＣコード脱落防止具。
【考案の詳細な説明】
【技術分野】
【０００１】
本考案は、ＡＣアダプタ等のＡＣインレットに挿し込まれたＡＣコードが容易にＡＣインレットから抜け落ちないようにするＡＣコード脱落防止具に関するものである。
【背景技術】
【０００２】
一般にＡＣコードを挿し込んで用いるＡＣアダプタ等のＡＣインレットにはＡＣコードが容易にＡＣインレットから抜け落ちることがないようにする目的のＡＣコード脱落防止機構は組み込まれていない。 
例えばＡＣアダプタであっても、
（１）近年は重要なあるいは信頼性を要求される機器や設備の電源装置として用いられたり、
（２）一瞬の電源供給の中断でシステムの継続動作が不可能になる厳密な動作を要求される機器や設備の電源装置としても用いらることが増え、
ＡＣアダプタ用のＡＣコード脱落防止具が求められている。 
【先行技術文献】
【特許文献】
【０００３】
【特許文献１】特願２００９−２７３９３３
【特許文献２】実願２００９−００１９２６
【考案の概要】
【考案が解決しようとする課題】
【０００４】
既に先行技術文献に示されるようなＡＣアダプタ用のＡＣコード脱落防止具が考案されているがＡＣコード脱落防止具に用いられた押さえ具は、（１）ＡＣプラグの肩上のＡＣコードの付け根部を３方向から囲みＡＣコード脱落防止具の押さえ具が特定方向に強く押されると前記押さえ具がＡＣプラグから滑り落ちる可能性があったり、（２）前記（１）を改善した押さえ具を用いたＡＣコード脱落防止具であってもＡＣアダプタ用に汎用的に用いられているＩＥＣ６０３２０標準のＡＣプラグにおいては寸法が極度に異なる、例えばＣ１３，Ｃ５型とＣ７型とに共用することができず、使用現場では不便さがあったり、（３）ＡＣプラグごとに寸法を合わせた押え具を用いた場合でも、メーカごとに異なる形状のＡＣプラグの中には肩部形状が明確に形成されていないものがあって押え具がＡＣプラグを確実に捕捉することができない問題があった。
さらに、（４）従来のＡＣアダプタ用の脱落防止具は押え具を複数の金属加工部品の組合せで構成しているために必ずしも十分な低コストでの製造が容易でなかった。 
【０００５】
本考案は上記に鑑み、
【０００６】
（１）ＡＣプラグ上の肩上に装着されたＡＣコード脱落防止具の押さえ具が如何なる方向に強い力で押されても押さえ具がＡＣプラグの肩部から滑る落ちることがなく、（２）ＡＣアダプタで汎用的に用いられている例えばＩＥＣ６０３２０標準のＣ１３型、Ｃ５型ならびにＣ７型ＡＣプラグに共用でき、（３）ＡＣプラグの肩部の形状が明確に形成されていないＡＣプラグでもＡＣプラグを押さえ具が確実に捕捉でき、（４）高コストな複数の金属加工用の成型具による製造を必要としない低価格化が容易な押さえ具を備えたＡＣコード脱落防止具を提供することを目的とする。 
【課題を解決するための手段】
【０００７】
上記目的を達成するための本考案のＡＣコード脱落防止具は、例えばＡＣアダプタに組み込まれたＡＣインレットに挿し込まれるＡＣコードが前記インレットから抜け落ちないようにＡＣコード脱落防止具の固定具と共に用いてＡＣプラグをＡＣインレットに押え付ける押さえ具を備えたＡＣコード脱落防止具であって、
その押さえ具は、 
【０００８】
（１）ＡＣプラグの肩上でＡＣコードの付け根部を４方向から囲んで捕捉するために閉じた略四辺形の形状を備えることで、ＡＣコードに装着された押さえ具は如何なる方向から強い力で押されてもＡＣプラグの肩上から滑り落ちることがなく、
（２）前記略四辺形の寸法を可変できる構造とすることで寸法が極度に異なる例えばＡＣアダプタに汎用的に用いられているＩＥＣ６０３２０標準のＣ１３型、Ｃ５型ならびにＣ７型ＡＣプラグに共用して装着でき、
（３）押さえ具はＡＣプラグの肩部が明確に形成されていない場合でも、前記の閉じた略四辺形の寸法を可変できる構造を備えることで、ＡＣプラグに明確に肩部が形成されていなくてもＡＣプラグの外周寸法がＡＣコードの付け根部からプラグ先端に至る部分でテーパ状に大きくなることを利用してプラグ部を捕捉することができ、前記寸法を可変できる略四辺形を構成する部分は、その一部に設けた張り出し部を曲げ戻してカシメでとめた環状部にベルト送り金具を封止しＡＣインレットを実装したＡＣアダプタなどの本体側にかけまわした固定具の布帯端部を係止してＡＣプラグをＡＣインレットに押さえつけることができ、２枚の板状材と、１本の紐状材とを組み合わせて構成する。 
ここで、前記２枚の板状材は、
【０００９】
夫々が同形状であってもよく、夫々には紐状材が貫通できる通し穴を２箇所に備え、２枚の板状材を向かい合わせて通し穴を順に貫通させた紐状材により、２枚の板状材と２枚の板状材の間にある紐状材の２区間をもって、前記の寸法を可変できる閉じた略四辺形の形状を備えている。 
ここで、前記１本の紐状材は、
【００１０】
ほぼ等しい間隔で連続的に等しい大きさの例えば球形の節を設けられた強度がある紐状の物であって、板状材の通し穴を通した後の紐状材の両端は、例えば結んで紐状材を環状にすることで紐状材が板状材から脱落することを防止してもよい。 
ここで、前記２箇所の通し穴は、
【００１１】
一端に紐状材の球形の節の直径より大きな略円形孔部を備え、他端に前記球形の節の直径より小さな略円形孔部を備え、これら２箇所の孔部を例えば略長方形の前記紐状材の紐部の径より大きな幅の連絡孔部で連結し、通し穴を貫通した紐状材の節が板状材の両面を自在に往き来することで前記紐状材の２区間の寸法を可変したり往き来を阻止して寸法を固定したりすることを可能にするものである。 
この結果、押さえ具は、
【００１２】
寸法を大きくした前記略四辺形にＡＣコードを貫通させてプラグ部を通すことができ、その状態で略四辺形の寸法を小さくして寸法を固定することで押え具の前記略四辺形はＡＣコードのプラグの付け根部またはプラグのテーパ部を確実に捕捉可能にすることができる。 
更にここで押さえ具は、
【００１３】
（４）押さえ具の紐状材は強度を適切に選ぶことで市販品を利用でき、ベルト送り金具とカシメも市販品を利用することができる。 板状材は例えば可撓性を備えた市販の合成樹脂を材質とした板材を用いれば大きな費用を必要としない抜き型にて目的の板状材の形に成型することができ、低価格化が容易な押さえ具を備えた本考案のＡＣコード脱落防止具の製造が可能である。 
【考案の効果】
【００１４】
本考案のＡＣコード脱落防止具は、２枚の板状材と該板状材に設けた２箇所の通し孔に順に通した１本の強度ある紐で構成した寸法を可変でき，また、固定できる略四辺形の閉じた形状を備えた押さえ具を備えていて、
（１）この閉じた四辺形の形状を用いてＡＣプラグを捕捉するので、ＡＣプラグの肩上の押え具は何れの方向から強い力が加わってもＡＣコードのプラグの肩部から滑り落ちることはなく、（２）押さえ具の構成要素の一つである紐状材は強度がある紐上に、大きさが等しい球形の節を一定間隔で設けて、板状材に設けた２箇所の通し孔に設けられた大小２個の略円形孔を例えば略長方形の連絡孔で連結して貫通させているので、板状材に設けられた通し孔内で紐状材の位置を選ぶことにより閉じた形状である板状材と紐状材が形成する略四辺形の寸法を変化させ、またその寸法を固定して、ＡＣアダプタに汎用に広く用いられている寸法形状が大きく異なるＩＥＣ６０３２０標準のＣ１３型、Ｃ５型とＣ７型とのＡＣプラグに共通して使用でき、（３）その押さえ具は板状材に設けられた通し孔を貫通した紐状材の位置を選ぶことにより閉じた形状である板状材と紐状材が形成する略四辺形の寸法を自在に変化させ、またその寸法を固定して、ＡＣプラグの肩部の寸法が極小であったり肩部が明確に形成されていない場合であってもＩＥＣ６０３２０標準のＣ７型ＡＣプラグをも捕捉でき、（４）大きさが等しい球形の節が一定間隔で設けられた紐状材と、板状材に組み合わせるベルト送り金具とベルト送り金具を板状材に捕捉するためのカシメとは市販されているものを用いることができ、板状材は例えば市販の可撓性がある合成樹脂板材を材料とすれば、大きなコストを必要とする金属成型金型を用いずに抜き型で形成して製造することで前記押え具を備えたＡＣコード脱落防止具を低価格に製造できる。
【図面の簡単な説明】
【００１５】
【図１】は本考案のＡＣアダプタ用のＡＣコード脱落防止具をＡＣアダプタに装着した使用状態を示す斜視図である。
【００１６】
【図２】は本考案のＡＣコード脱落防止具の押さえ具部を示す斜視図である。
【００１７】
【図３】（Ａ）は本考案のＡＣコード脱落防止具の押さえ具部の紐状材を除いた板状材を示す斜視図であり、（Ｂ）は板状材部から外した紐状材のみを示す斜視図である。
【００１８】
【図４】は本考案のＡＣコード脱落防止具の押さえ具において、（Ａ）は紐状材が板状材の通し孔の寸法が大きい略円形孔側にある状態を示し、（Ｂ）は小さい略円形孔側にある状態を示す外観斜視図である。
【００１９】
【図５】は本考案のＡＣコード脱落防止具の押さえ具において、（Ａ）は紐状材が板状材の通し孔の寸法が大きい略円形孔側にある状態を示し、（Ｂ）は小さい略円形孔側にある状態を示す紐状材位置の断面図である。
【００２０】
【図６】は本考案のＡＣコード脱落防止具の押さえ具において、（Ａ）は形状寸法が大きなＡＣプラグを捕捉した状態を示すＡＣコード付け根部をＡＣコード側から見た平面図であり（Ｂ）は形状寸法が小さなＡＣプラグを捕捉した状態を示すＡＣコード付け根部をＡＣコード側から見た平面図である。
【００２１】
【図７】は本考案のＡＣコード脱落防止具の押さえ具の板状材の抜き型で製造した場合の一例の平面図である。
【考案を実施するための形態】
【００２２】
本考案は、ＡＣアダプタに組み込まれたＡＣインレットに挿し込まれたＡＣコードが容易にＡＣアダプタから抜け落ちないようにするＡＣコード脱落防止具の固定具と共に用いてＡＣプラグをＡＣインレットに押え付ける押さえ金具を備えたＡＣコード脱落防止具において実現されたものである。
【実施例１】
【００２３】
図１から図７を参照して、本考案の実施例を説明する。
【００２４】
図１はＡＣアダプタのＡＣインレットに挿し込まれたＡＣプラグをＡＣアダプタに掛け回した固定具と固定具の布帯を押さえ具に係止して締めることで、ＡＣコードの脱落を防いだ本考案のＡＣコード脱落防止具の使用状態を示した斜視図である。図２は本考案のＡＣアダプタ用ＡＣコード脱落防止具の押さえ具部の紐状材が板状材の通し孔の寸法が小さい孔部側にある状態を示した押さえ具の外観斜視図である。図３（Ａ）は本考案のＡＣコード脱落防止具の押さえ具部の板状材を単独に示した外観斜図であり、（Ｂ）は本考案のＡＣコード脱落防止具の押さえ具部の紐状材を単独で示した外観斜図である。図４は本考案のＡＣコード脱落防止具の押さえ具部において、（Ａ）は押さえ具を構成する閉じた略四辺形の形状の寸法を可変可能にするために紐状材を大きな寸法の略円形孔側に位置させた状態を示した本考案のＡＣコード脱落防止具の押さえ具部の板状材の部分拡大斜図であり、（Ｂ）は閉じた略四辺形の形状の寸法を固定するために紐状材を小さな寸法の略円形孔側に位置させた状態を示した本考案ＡＣコード脱落防止具の押さえ具部の板状材の部分拡大斜図である、図５（Ａ）は前記の閉じた略四辺形の形状の寸法が可変可能な状態にあって略四辺形の寸法を大きく変化させた状態の紐状材部の断面図であり、（Ｂ）は前記の閉じた略四辺形の形状の寸法を小さく変化させて固定した状態にあるときの紐状材部の断面図である。６図（Ａ）は本考案のＡＣコード脱落防止具の押さえ具部によりＩＥＣ６０３２０標準のＣ１３型或いはＣ５型のＡＣプラグを捕捉した状態を示すＡＣコード付け根部をＡＣコード側から見た平面図であり、（Ｂ）は本考案のＡＣコード脱落防止具の押さえ具部によりＩＥＣ６０３２０標準のＣ７型のＡＣプラグを捕捉した状態を示すＡＣコード付け根部をＡＣコード側から見た平面図である。第７図は本考案のＡＣコード脱落防止具の押さえ具の板状材の抜き型で製造した場合の具体的形状の一例を示す平面図である。 
【００２５】
本考案のＡＣコード脱落防止具０１はＡＣアダプタ１００に掛け回した固定具５０と押さえ具１０で構成され、押さえ具１０は２枚１組の板状材２０、２０と１本の紐状材３０で構成され、夫々の板状材２０にはベルト送り金具２３は取り外し不可能に封止固定されている。
【００２６】
ＡＣアダプタ１００上に掛け回した固定具５０の布帯５１，５１は夫々、前記板状材２０に封止されたベルト送り金具２１に通して締めることでＡＣアダプタのインレットに刺し込まれたＡＣコード４０のプラグ部をＡＣアダプタ１００に押さえつけ、ＡＣコード４０がＡＣアダプタ１００から脱落するのを防止する。
なお、ここでベルト送り金具は、
【００２７】
通称コキカンと呼ばれる戻止め２３ａが組み込まれたものを用い、固定具５１は強度のある平織りの布帯を用いているが、ベルト送り金具に通称カクカンと呼ばれる戻止めがないものを用い、固定具５１には面ファスナを設けた布帯を用いて布帯をカクカンに通して折り返して面ファスナで固定してもよい。 
【００２８】
板状材２０は可撓性を備えた薄板製とすることでＡＣプラグ４１を捕捉するする寸法が可変可能な閉じた略四辺形の向かい合う２辺に弾力性を与えてＡＣプラグ４１の捕捉に不要な緩みを生じさせることを防ぐことができ、ベルト送り金具２３を板状材の張り出し部２１が折れることなく捕捉して曲げ戻すことができる。更に板状材２０は比較的簡単な抜き型で成型できることが好ましく、更にまた、紐状材３０の球形の節３１と節３１の間に無理なく挟み込める厚さであることが好ましく、例えば厚みが０．７５ミリメートルから１ミリメートルのポリエステル系等の合成樹脂の板材がが好ましい。 
【００２９】
本実施例では板状材２０を略五角形にしたものに張り出し部２１を設けて説明しているが、２個の通し孔２２，２２と１個のカシメ孔２０ａが互いに独立した間隔を確保できる面積を備えれば張り出し部２１以外の部分は円形、多角形等、何れでもよく、意匠製を考慮して選択することができる。 
【００３０】
板状材２０の周辺の一部に設けた略長円形または略長方形の張り出し部２１は板状材面の延長上に設けられ、ベルト送り金具２３を通してから曲げ戻し、張り出し部の先端のカシメ孔２１ａと板状材の非張り出し部にあるカシメ孔２３ａとを重ねてカシメ２４により固定して環状とし、ベルト送り金具２３を張り出し部の環状部分に封止する。 
【００３１】
夫々の板状材２０に設けられた２個の通し孔２２，２２は大きな径の略円形孔部２２ａと小さな径の略円形孔部２２ｂとを略長方形孔部２２ｃで連結した形状とし、大きな径の略円形孔２２ａは紐状材３０が板状材２０を貫通して自在に往き来することが可能な寸法とすることで前記略四辺形の寸法が可変可能になり、小さな径の略円形孔２２ｂは紐状材３０の節３１が通り抜けることができない寸法とすることでＡＣコードのプラグ部を補足した略四辺形の寸法を維持することができる。またこの両者間を結ぶ略長方形孔部２２ｃは紐状材３０が両者間を移動可能な寸法とする。 
【００３２】
各板状材の２箇所に設けられた通し孔２２の大小の略円形孔２２ａ，２２ｂは、２箇所の小さな略円形孔間の距離が大きな略円形孔間の距離よりも広くなるようにすることが好ましい。多くのＡＣプラグにおいてケーブル部の付け根部分４３の肩部４４付近の寸法と、形状，寸法が小さく肩部が明確に形成されていないことがあるＩＥＣ６０３２０標準のＣ７プラグにあっては肩部４４或いはプラグ４１のテーパ部の寸法がほぼ等しいので、２箇所の通し孔２２の小さな略円形孔２２ｂ間の間隔をこの寸法より僅かに小さくすることで、ＡＣプラグ４１に装着された前記の寸法が可変できる略四辺形の他の２辺である紐状材は自動的に通し孔２２の小さな略円形孔２２ｂ側に押し寄せられて押さえ具１０を安定にＡＣプラグ４１に装着することを助けることになり、例えば、２箇所の通し孔２２，２２の小さな略円形孔間２２ｂの間隔を１２ミリメートル弱とすることでこの効果が得られ好ましい。 
【００３３】
紐状材３０は強度がある紐材で、一定間隔に連続して大きさの等しい球形の節３１が設けられたものであり、強度が適切な物を選定することで通称をボールチェインと呼ばれる市販品を用いることができ、その両端を連結する場合はボールチェイン用のコネクタ３３を用いてもよい。 例えばボールチェインは節３１と節３１を結ぶリンク部３２がナイロンなどの合成樹脂、真鍮、ステンレス製のものがあり、例えば強度的にはステンレス製のリンク部を持つ物が好ましい。
【００３４】
前記板状材２０に設けた通し孔２２の一端にある前記の大きな径の略円形孔２２ａは紐状材３０の球形の節３１の直径より大きく、また小さい径の略円形孔２２ｂは球形の節３１の直径より小さく、かつ紐状材３０のリンク部である紐３２の径より大きくし、略長方形孔部２２ｃの非長手方向幅は前記リンク部３２の径より僅かに大きくする。 
【００３５】
紐状材３０は板状材２０を２枚を重ねて夫々の板状材２０の２個の通し孔２２，２２の大きな略円形孔部２２ａを貫通させる。紐状材３０は環状にして両端をコネクタ３３で結合してもよく、環状に連結した場合は紐状材３０が板状材２０から抜け落ちることを防止できる。この結果、２枚の板状材２０，２０と紐状材３０が板状材２０，２０間にある紐状材の２区間が閉じた略四辺形を構成し、この略四辺形の寸法は紐状材３０の節３１を板状材２０の通し孔２２の大きな略円形孔部２２ａを往き来させることが可能であり変化させることができる。 
【００３６】
また前記の寸法が可変できる前記の略四辺形は紐状材３０と板状材２０で構成された結果、その形状も図５（Ａ）が示す様に可変可能になり、この略四辺形内に容易にＡＣコード４０のプラグ部４１を出し入れできる結果、本考案のＡＣコード脱落防止具が形状と寸法が大きく異なるＩＥＣ６０３２０標準のＣ１３型、Ｃ５型、Ｃ７型を含めて広範囲のＡＣプラグに共通に用いることができることになる。 
【００３７】
ＡＣコード４０のプラグ部４１を押さえ具１０で捕捉するには紐状材３０の節３１を通し孔部２２の大きな略円形孔部２２ａで往き来させてＡＣコード４０のプラグの肩部４４を略四辺形が捕捉する寸法に調節する。略四辺形は形状も可変可能であり、自在に各種のＡＣコード４０のプラグの肩部４４に合わせて調整することができる。引き続いて、板状材２０の通し孔２２，２２を貫通した紐状材３０を通し孔２２の小さな径の略円形孔部２２ｂ側に移動させることで前記略四辺形の寸法をＡＣコード４０のプラグ部を補足した状態に固定できる。 
【００３８】
また、ＡＣプラグ４０において形状、寸法が極小であったり肩部４４が明確に形成されていないＩＥＣ６０３２０標準のＣ７型プラグであってもプラグ部４１の先端はＡＣコードのケーブル付け根部４３の径よりテーパ状に太くなるため、前記略四辺形をテーパ部にかかるように調整することで、ＡＣコード４０を捕捉することができる。 
【００３９】
押さえ具１０が前記のように２枚の板状材２０，２０と紐状材３０の２区間で構成された閉じた略四辺形であって、ＡＣコード４０をこの略四辺形に通してＡＣコード４０のプラグ部４１を捕捉するのでＡＣプラグの肩部４４上から押さえ具が滑り落ちることはない。 
【００４０】
引き続いて、ＡＣアダプタ１００に掛け回した固定具５０の布帯５１の端部をベルト送り金具に係止して締めることでＡＣアダプタ１００のＡＣインレットに刺し込まれたＡＣコード４０のプラグ部４１はＡＣアダプタ１００に押さえつけられ、確実なＡＣコード脱落防止が可能になる。 
【符号の説明】
【００４１】
０１  ＡＣコード脱落防止具 
１０  押さえ具
２０  押さえ具の板状材
２０ａ  板状材のカシメ孔
２１  押さえ具の張り出し部
２１ａ  張り出し部のカシメ孔
２２  通し孔
２２ａ  大きな径の略円形孔部
２２ｂ  小さな径の略円形孔部
２２ｃ  大小の略円形孔を連結する略長方形孔部
２３  ベルト送り金具
２４  カシメ
３０  押さえ具の紐状材
３１  球形の節
３２  リンク部（紐部）
３３  コネクタ部
４０  ＡＣコード
４１  ＡＣプラグ部
４２  ＡＣコードのケーブル部
４３  ＡＣコードの付け根部
４４  ＡＣコードの肩部
５０  ＡＣコード脱落防止具の固定具
５１  ＡＣコード脱落防止具の固定具の布帯部
１００  ＡＣアダプタ（本体）
【図１】
0003164787.tif 000003
【図２】
0003164787.tif 000004
【図３】
0003164787.tif 000005
【図４】
0003164787.tif 000006
【図５】
0003164787.tif 000007
【図６】
0003164787.tif 000008
【図７】
0003164787.tif 000009